(57)【要約】【課題】カセット本体内においてカーソルにより高精度にシートの位置決めを行うことができ、シートの給紙特性に優れた給紙カセット、及びこの給紙カセットを備えた画像形成装置を提供する。【解決手段】給紙カセット２１において第１カーソル２１２は、カセット本体２１０の底面部２１０Ａに配置された固定用ラック２１０１に沿って移動可能である。この第１カーソル２１２は、ロック歯２１２２２を有するロック部材２１２２を含む。ロック部材２１２２は、ロック歯２１２２２が固定用ラック２１０１のラック歯２１０１Ａと噛合して第１カーソル２１２の移動を規制する規制位置と、ロック歯２１２２２がラック歯２１０１Ａから上方に離間して第１カーソル２１２の移動を許容する許容位置との間で移動可能である。そして、ロック部材２１２２は、規制位置と許容位置との間で移動するときに、ロック歯２１２２２が上下方向に対して傾斜した傾斜姿勢を取る。【選択図】図７Ａ
2018188269.tif 000002
【特許請求の範囲】
【請求項１】
所定の給紙方向に給紙するシートを収容するカセット本体と、
前記給紙方向と交差する移動方向に移動可能に設けられ、前記カセット本体内における前記シートの位置決めを行うカーソルと、
前記移動方向に沿って前記カセット本体の底面部に配置され、上方に向かって突設されたラック歯が所定の間隔をおいて複数設けられたラックと、を備え、
前記カーソルは、
前記シートの端縁に当接するシート当接面を有するカーソル本体部と、
下方に向かって突設されたロック歯が下面に形成されたロック本体部を含み、前記ロック歯が前記ラック歯と噛合して前記カーソルの移動を規制する規制位置と、前記ロック歯が前記ラック歯から上方に離間して前記カーソルの移動を許容する許容位置との間で、前記カーソル本体部に対して上下方向に移動可能に設けられたロック部材と、
前記カーソル本体部に支持され、前記ロック部材を移動させる操作を行う操作部材と、を含み、
前記ロック部材は、前記操作部材の操作によって前記規制位置と前記許容位置との間で移動するときに、前記ロック本体部の前記下面が前記ラック歯の先端を含む仮想平面に対して傾き、前記ロック歯が前記上下方向に対して前記カーソルの移動方向に沿って傾斜した傾斜姿勢を取るように構成される、給紙カセット。
【請求項２】
前記ロック部材が前記傾斜姿勢を取った状態において、前記ロック歯は、歯先が前記シートへ近接する方向に向くように傾斜する、請求項１に記載の給紙カセット。
【請求項３】
前記ロック部材は、前記規制位置において、前記ロック歯が前記上下方向に沿って直立した直立姿勢を取るように構成される、請求項２に記載の給紙カセット。
【請求項４】
前記ロック部材は、
前記ロック本体部の側面に突設され、前記上下方向に延びる被案内突片であって、下端縁から上端縁に向かって前記カーソルの移動方向一方側に傾斜した傾斜面と、前記傾斜面の前記上端縁から前記カーソルの移動方向他方側に突出し、前記カーソルの移動方向において突端が前記傾斜面の前記下端縁と同一位置に位置する突出部と、を有する被案内突片を、更に含み、
前記カーソル本体部は、
下端縁から上方に向かって切り欠かれ、前記ロック部材が配置される収容部であって、前記被案内突片の前記傾斜面及び前記突出部と対向するように前記上下方向に沿って延び、前記ロック部材の移動を案内する案内突片を有する収容部を含み、
前記ロック部材は、
前記突出部が前記案内突片の上端を越え、前記傾斜面が前記案内突片に当接した状態で前記傾斜姿勢を取り、
前記突出部の前記突端と前記傾斜面の前記下端縁とが前記案内突片に当接した状態で前記直立姿勢を取る、請求項３に記載の給紙カセット。
【請求項５】
前記操作部材は、前記給紙方向に延びる軸心回りに回動可能となるように前記カーソル本体部に支持され、
前記ロック部材は、前記操作部材の回動操作により前記規制位置から前記許容位置へと移動し、前記回動操作の解除により前記許容位置から前記規制位置へと移動する、請求項４に記載の給紙カセット。
【請求項６】
前記カーソルは、前記ロック部材を下方へ付勢する付勢部材を、更に含み、
前記ロック本体部は、前記カーソルの移動方向に開口し、上面部が前記カーソルの移動方向一方側から他方側に向かって先下がりに傾斜した凹部を有し、
前記操作部材は、前記カーソルの移動方向一方側の前記開口から前記凹部に挿入されて前記上面部に接触する係合部を有し、
前記ロック部材は、
前記操作部材の前記回動操作に伴って前記係合部が前記上面部上を摺動することにより、前記付勢部材の付勢力に抗して前記直立姿勢から前記傾斜姿勢へ変位すると共に、前記規制位置から前記許容位置へと移動し、
前記操作部材の前記回動操作の解除により、前記付勢部材の付勢力によって前記傾斜姿勢から前記直立姿勢へ変位すると共に、前記許容位置から前記規制位置へと移動する、請求項５に記載の給紙カセット。
【請求項７】
請求項１〜６のいずれか１項に記載の給紙カセットと、
前記給紙カセットが着脱自在に装着される本体ハウジングと、
前記本体ハウジングに配置され、前記給紙カセットから給紙されたシートに画像を形成する画像形成部と、を備える画像形成装置。
【発明の詳細な説明】
【技術分野】
【０００１】
本発明は、給紙カセット及びこれを備えた画像形成装置に関する。
【背景技術】
【０００２】
プリンタや複写機に代表される画像形成装置として、シートが積載される給紙カセットを備えたものが知られている。給紙カセットは、画像形成装置の本体ハウジングに対して着脱自在に装着される。給紙カセットは、シートを積載して収容するカセット本体と、カセット本体の底面部に配置され、上方に向かって突設されたラック歯が所定の間隔をおいて複数設けられたラックと、ラックに沿って移動可能に設けられたカーソルとを備える（特許文献１参照）。
【０００３】
カーソルは、ラックのラック歯と噛合可能なロック歯を有するロック部材（ロック片）を含む。カーソルは、ロック部材のロック歯がラックのラック歯と噛合した状態で、ラックに沿った移動が規制され、カセット本体内におけるシートの位置決めを行う。
【先行技術文献】
【特許文献】
【０００４】
【特許文献１】特開２００５−１４５７０６号公報
【発明の概要】
【発明が解決しようとする課題】
【０００５】
ところで、ロック部材は、ロック歯がラック歯と噛合してカーソルの移動を規制する規制位置と、ロック歯がラック歯から上方に離間してカーソルの移動を許容する許容位置との間で変位可能である。カーソルは、ロック部材が許容位置から規制位置へと変位し、当該ロック部材が規制位置に配置された状態で、カセット本体内においてシートを位置決めすることができる。
【０００６】
しかしながら、ロック部材が許容位置から規制位置へと変位するときに、ロック歯の歯先がラック歯の歯先に衝突する場合がある。このように、ロック歯の歯先がラック歯の歯先に衝突すると、ロック歯のラック歯に対する噛み合い位置が、１歯分外側にずれてしまう可能性がある。そうすると、カーソルによるカセット本体内におけるシートの位置決め精度が低下し、給紙カセットにおけるシートの給紙特性が悪化する。
【０００７】
本発明は、このような事情に鑑みてなされたものであり、その目的とするところは、カセット本体内においてカーソルにより高精度にシートの位置決めを行うことができ、シートの給紙特性に優れた給紙カセット、及びこの給紙カセットを備えた画像形成装置を提供することにある。
【課題を解決するための手段】
【０００８】
本発明の一の局面に係る給紙カセットは、所定の給紙方向に給紙するシートを収容するカセット本体と、前記給紙方向と交差する移動方向に移動可能に設けられ、前記カセット本体内における前記シートの位置決めを行うカーソルと、前記移動方向に沿って前記カセット本体の底面部に配置され、上方に向かって突設されたラック歯が所定の間隔をおいて複数設けられたラックと、を備える。前記カーソルは、前記シートの端縁に当接するシート当接面を有するカーソル本体部と、下方に向かって突設されたロック歯が下面に形成されたロック本体部を含み、前記ロック歯が前記ラック歯と噛合して前記カーソルの移動を規制する規制位置と、前記ロック歯が前記ラック歯から上方に離間して前記カーソルの移動を許容する許容位置との間で、前記カーソル本体部に対して上下方向に移動可能に設けられたロック部材と、前記カーソル本体部に支持され、前記ロック部材を移動させる操作を行う操作部材と、を含む。前記ロック部材は、前記操作部材の操作によって前記規制位置と前記許容位置との間で移動するときに、前記ロック本体部の前記下面が前記ラック歯の先端を含む仮想平面に対して傾き、前記ロック歯が前記上下方向に対して前記カーソルの移動方向に沿って傾斜した傾斜姿勢を取るように構成される。
【０００９】
この給紙カセットによれば、カーソルは、カセット本体内に収容されたシートの位置決めを行うものであり、シートの給紙方向と交差する方向に移動可能に設けられている。カセット本体の底面部には、カーソルの移動方向に沿ってラックが配置されている。カーソルは、シートの端縁に当接するカーソル本体部と、下方に向かって突設されたロック歯が下面に形成されたロック本体部を含むロック部材と、ロック部材を移動させる操作部材とを含む。ロック部材は、操作部材の操作によって、ロック歯がラックのラック歯と噛合してカーソルの移動を規制する規制位置と、ロック歯がラック歯から上方に離間してカーソルの移動を許容する許容位置との間で、カーソル本体部に対して上下方向に移動可能である。そして、ロック部材は、規制位置と許容位置との間で移動するときに、ロック歯が上下方向に対してカーソルの移動方向に沿って傾斜した傾斜姿勢を取るように構成されている。
【００１０】
規制位置と許容位置との間の移動時にロック部材が傾斜姿勢を取った状態では、ロック歯が上下方向に対してカーソルの移動方向に沿って傾斜しているので、ロック歯の歯先とラック歯の歯先との間には、カーソルの移動方向に沿ったクリアランスが確保され易くなる。このため、ロック部材が許容位置から規制位置へ移動するときに、ロック部材におけるロック歯の歯先の、ラックにおけるラック歯の歯先に対する衝突が回避され易くなる。この結果、ロック部材の許容位置から規制位置への移動時における、ロック歯のラック歯に対する噛み合い位置のずれが可及的に抑止される。従って、カセット本体内においてカーソルにより高精度にシートの位置決めを行うことができ、シートの給紙特性に優れた給紙カセットとすることができる。
【００１１】
上記の給紙カセットにおいて、前記ロック部材が前記傾斜姿勢を取った状態において、前記ロック歯は、歯先が前記シートへ近接する方向に向くように傾斜する。
【００１２】
この態様では、ロック部材は、歯先がシートへ近接する方向に向くようにロック歯が傾斜した傾斜姿勢を取った状態で、規制位置と許容位置との間で上下方向に移動する。これにより、ロック部材が規制位置に配置された状態では、ロック歯のラック歯に対する噛み合い位置は、例えば歯先がシートから離間する方向に向くようにロック歯が傾斜した場合よりも、シートに近い位置となる。このため、ロック部材が規制位置に配置された状態において、カーソルがシートに対してより近い位置に配置され、カーソルによるシートの位置決め精度をより高めることができる。
【００１３】
上記の給紙カセットにおいて、前記ロック部材は、前記規制位置において、前記ロック歯が前記上下方向に沿って直立した直立姿勢を取るように構成される。
【００１４】
この態様では、ロック部材は、規制位置と許容位置との間の移動時に傾斜姿勢を取っているのに対し、規制位置に配置された状態においては直立姿勢を取っている。前述したように、ロック部材が傾斜姿勢を取った状態においては、ロック歯の歯先とラック歯の歯先との間には、カーソルの移動方向に沿ったクリアランスが確保され易くなっている。これに対し、ロック部材が規制位置に配置された状態においては直立姿勢を取っているので、この状態では、ロック歯の歯先とラック歯の歯先との間のカーソルの移動方向に沿った前記クリアランスが小さくなる。このため、ロック部材が規制位置に配置された状態では、ロック歯とラック歯とが確実に噛合した状態となる。これにより、ロック部材が規制位置に配置された状態において、カーソルの移動が確実に規制され、カセット本体内においてカーソルにより高精度にシートの位置決めを行うことができる。
【００１５】
上記の給紙カセットにおいて、前記ロック部材は、前記ロック本体部の側面に突設され、前記上下方向に延びる被案内突片であって、下端縁から上端縁に向かって前記カーソルの移動方向一方側に傾斜した傾斜面と、前記傾斜面の前記上端縁から前記カーソルの移動方向他方側に突出し、前記カーソルの移動方向において突端が前記傾斜面の前記下端縁と同一位置に位置する突出部と、を有する被案内突片を、更に含む。前記カーソル本体部は、下端縁から上方に向かって切り欠かれ、前記ロック部材が配置される収容部であって、前記被案内突片の前記傾斜面及び前記突出部と対向するように前記上下方向に沿って延び、前記ロック部材の移動を案内する案内突片を有する収容部を含む。前記ロック部材は、前記突出部が前記案内突片の上端を越え、前記傾斜面が前記案内突片に当接した状態で前記傾斜姿勢を取り、前記突出部の前記突端と前記傾斜面の前記下端縁とが前記案内突片に当接した状態で前記直立姿勢を取る。
【００１６】
この態様では、ロック部材は、ロック歯が下面に形成されたロック本体部と、そのロック本体部の側面に突設され、傾斜面と突出部とを有する被案内突片とを含む。一方、カーソル本体部は、ロック部材が配置される収容部を含む。このカーソル本体部の収容部は、ロック部材の被案内突片と対向するように上下方向に延び、ロック部材の移動を案内する案内突片を有する。そして、ロック部材は、移動時において、被案内突片の傾斜面が収容部の案内突片に当接することにより、傾斜姿勢を取ることができる。更に、ロック部材は、規制位置に配置された状態において、被案内突片の突出部の突端と傾斜面の下端縁とが、収容部の案内突片に当接することにより、直立姿勢を取ることができる。
【００１７】
上記の給紙カセットにおいて、前記操作部材は、前記給紙方向に延びる軸心回りに回動可能となるように前記カーソル本体部に支持される。そして、前記ロック部材は、前記操作部材の回動操作により前記規制位置から前記許容位置へと移動し、前記回動操作の解除により前記許容位置から前記規制位置へと移動する。
【００１８】
この態様では、ロック部材を移動させる操作を行う操作部材は、所定の軸心回りに回動可能である。そして、ロック部材は、操作部材の回動操作により、規制位置から許容位置へと移動することができる。一方、ロック部材は、操作部材の回動操作の解除により、許容位置から規制位置へと移動することができる。
【００１９】
上記の給紙カセットにおいて、前記カーソルは、前記ロック部材を下方へ付勢する付勢部材を、更に含む。前記ロック本体部は、前記カーソルの移動方向に開口し、上面部が前記カーソルの移動方向一方側から他方側に向かって先下がりに傾斜した凹部を有する。前記操作部材は、前記カーソルの移動方向一方側の前記開口から前記凹部に挿入されて前記上面部に接触する係合部を有する。前記ロック部材は、前記操作部材の前記回動操作に伴って前記係合部が前記上面部上を摺動することにより、前記付勢部材の付勢力に抗して前記直立姿勢から前記傾斜姿勢へ変位すると共に、前記規制位置から前記許容位置へと移動し、前記操作部材の前記回動操作の解除により、前記付勢部材の付勢力によって前記傾斜姿勢から前記直立姿勢へ変位すると共に、前記許容位置から前記規制位置へと移動する。
【００２０】
この態様では、操作部材の回動操作に伴って操作部材の係合部が、ロック部材におけるロック本体部に形成された凹部の上面部に接触する。ここで、操作部材の係合部は、カーソルの移動方向一方側の開口から凹部に挿入される。そして、係合部が接触する凹部の上面部は、カーソルの移動方向一方側から他方側に向かって先下がりに傾斜している。このため、操作部材の回動操作に伴って係合部が凹部の上面部上を摺動すると、ロック部材は、付勢部材の付勢力に抗して直立姿勢から傾斜姿勢へ変位すると共に、規制位置から許容位置へと上方側に移動することができる。一方、操作部材の回動操作が解除されると、ロック部材は、付勢部材の付勢力によって傾斜姿勢から直立姿勢へ変位すると共に、許容位置から規制位置へと下方側に移動することができる。
【００２１】
本発明の他の局面に係る画像形成装置は、上記の給紙カセットと、前記給紙カセットが着脱自在に装着される本体ハウジングと、前記本体ハウジングに配置され、前記給紙カセットから給紙されたシートに画像を形成する画像形成部と、を備える。
【００２２】
この画像形成装置によれば、シートの給紙特性に優れた上記の給紙カセットを備えているので、シートの給紙不良に起因して画像形成部による画像形成処理の効率低下が生じることを抑止することができる。
【発明の効果】
【００２３】
本発明によれば、カセット本体内においてカーソルにより高精度にシートの位置決めを行うことができ、シートの給紙特性に優れた給紙カセット、及びこの給紙カセットを備えた画像形成装置を提供することができる。
【図面の簡単な説明】
【００２４】
【図１】本発明の一実施形態に係る給紙カセットを備えた画像形成装置の内部構造を概略的に示す図である。
【図２】給紙カセットの斜視図である。
【図３Ａ】リフト板を取り外した状態の給紙カセットの斜視図である。
【図３Ｂ】リフト板、第１カーソル及び第２カーソルを取り外した状態の給紙カセットの斜視図である。
【図４】給紙カセットの第１カーソルの斜視図である。
【図５】第１カーソルのロック部材の斜視図である。
【図６】第１カーソルにおけるカーソル本体部の要部を拡大して示す斜視図である。
【図７Ａ】第１カーソルにおいてロック部材が許容位置から規制位置へ変位するときの様子を示す図であり、図４の第１カーソルを切断面線Ａ−Ａから見た断面図である。
【図７Ｂ】図７Ａの要部を拡大して示す断面図である。
【図７Ｃ】第１カーソルにおいてロック部材が許容位置から規制位置へ変位するときの様子を示す図であり、図４の第１カーソルを切断面線Ｂ−Ｂから見た断面図である。
【図８Ａ】第１カーソルにおいてロック部材が規制位置に位置して直立姿勢を取った状態を示す図であり、図４の第１カーソルを切断面線Ａ−Ａから見た断面図である。
【図８Ｂ】図８Ａの要部を拡大して示す断面図である。
【図８Ｃ】第１カーソルにおいてロック部材が規制位置に位置して直立姿勢を取った状態を示す図であり、図４の第１カーソルを切断面線Ｂ−Ｂから見た断面図である。
【発明を実施するための形態】
【００２５】
以下、本発明の一実施形態に係る給紙カセット及び画像形成装置について図面に基づいて説明する。なお、以下では、方向関係についてはＸＹＺ直交座標軸を用いて説明する。Ｘ方向が左右方向（＋Ｘが右、−Ｘが左）、Ｙ方向が前後方向（＋Ｙが前、−Ｙが後）、Ｚ方向が上下方向（＋Ｚが上、−Ｚが下）に各々相当する。また、以下の説明において、「シート」との用語は、コピー用紙、コート紙、ＯＨＰシート、厚紙、葉書、トレーシングペーパーや画像形成処理を受ける他のシート材料或いは画像形成処理以外の任意の処理を受けるシート材料を意味する。
【００２６】
［画像形成装置の全体構成］
図１は、本発明の一実施形態に係る画像形成装置１の内部構造を概略的に示す図である。画像形成装置１は、シートＳに画像を形成する電子写真方式の装置である。ここでは、画像形成装置１としてモノクロプリンターを例示するが、画像形成装置１は、複写機、ファクシミリ装置、或いは、これらの機能を備えた複合機であってもよく、またカラー画像を形成するものであってもよい。
【００２７】
画像形成装置１は、略直方体形状の筐体構造を有する本体ハウジング１０と、この本体ハウジング１０の内部空間１０Ｓに収容される給紙部２０、画像形成部３０、定着部４０、トナーコンテナ５０及びシート排出部６０と、を備える。
【００２８】
本体ハウジング１０は、本体ハウジング１０の上面を規定する上壁１１と、本体ハウジング１０の底面を規定する底壁１２と、−Ｙ側（後側）において上壁１１と底壁１２との間で直立する後面壁１３と、を含む。本体ハウジング１０の＋Ｙ側（前側）には手差トレイ７０が取り付けられている。手差トレイ７０は、上下に回動可能である。図１に示すように、手差トレイ７０が下方に回動されると、本体ハウジング１０の＋Ｙ側（前側）に形成された開口部１４が開放される。開口部１４は、本体ハウジング１０の内部空間１０Ｓに連通する。従って、使用者は、開口部１４を介して、本体ハウジング１０の内部空間１０Ｓに収容された各部にアクセスすることができる。手差トレイ７０が上方に回動すると、開口部１４は閉鎖される。この結果、使用者の不必要な内部空間１０Ｓへのアクセスは防止される。また、本体ハウジング１０の上壁１１は、本体ハウジング１０の内部空間１０Ｓから排出されるシートＳが積載される排紙トレイとしての機能を有する。
【００２９】
給紙部２０は、画像形成処理が施されるシートＳを収容する給紙カセット２１と、ピックアップローラー２２と、給紙ローラー２３とを含む。給紙カセット２１は、シートＳを積載して収容するカセット本体２１０と、カセット本体２１０内においてシートＳの束をリフトアップするリフト板２１１とを備える。カセット本体２１０は、略直方体形状に形成され、上面が開口されている。この給紙カセット２１の詳細については後述する。
【００３０】
ピックアップローラー２２は、給紙カセット２１のカセット本体２１０内においてリフト板２１１によって押し上げられたシートＳの先頭縁上に配置されている。ピックアップローラー２２が回転すると、シートＳは給紙カセット２１のカセット本体２１０から引き出される。
【００３１】
給紙ローラー２３は、ピックアップローラー２２の下流に配設されたローラーであり、シートＳを更に下流に送り出す。また、使用者は、上述の手差トレイ７０にシートＳを載置してもよい。手差トレイ７０に載置されたシートＳは、手差トレイ７０に近設される給紙ローラー７１によって本体ハウジング１０内に引き込まれる。
【００３２】
給紙ローラー２３，７１の下流には、搬送ローラー１５が配設されている。搬送ローラー１５は、給紙ローラー２３，７１によって送り出されたシートＳを、レジストローラー対１６に向けて搬送する。レジストローラー対１６は、シートＳの斜め搬送を矯正する機能を有する。これにより、シートＳ上に形成される画像の位置が調整される。レジストローラー対１６は、画像形成部３０による画像形成処理のタイミングに合わせてシートＳを、画像形成部３０に向けて送出する。
【００３３】
画像形成部３０は、レジストローラー対１６により送出されるシートＳにトナー画像を形成する画像形成処理を行う。画像形成部３０は、感光体ドラム３１と、この感光体ドラム３１の周囲に配置された、帯電装置３２、露光装置３３、現像装置３４、転写ローラー３５及びクリーニング装置３６とを含む。
【００３４】
感光体ドラム３１は、Ｘ方向（左右方向）に延びる回転軸回りに回転可能な円筒状のドラムであり、その外周面に静電潜像が形成されるとともに、当該静電潜像に応じたトナー像が担持される。帯電装置３２は、感光体ドラム３１の表面を均一に帯電するものであって、感光体ドラム３１に当接する帯電ローラーを含む。
【００３５】
クリーニング装置３６は、不図示のクリーニングブレードを有し、トナー像転写後の感光体ドラム３１の周面に付着したトナーを清掃するとともに、不図示の回収装置に該トナーを搬送する。露光装置３３は、レーザー光源とミラーやレンズ等の光学系機器とを有し、感光体ドラム３１の外周面に、パーソナルコンピューター等の外部装置から与えられる画像データに基づいて変調された光を照射して、静電潜像を形成する。現像装置３４は、感光体ドラム３１上の前記静電潜像を現像してトナー像を形成するために、感光体ドラム３１の外周面にトナーを供給する。
【００３６】
転写ローラー３５は、感光体ドラム３１の外周面に形成されたトナー像をシートＳ上に転写させるためのローラーである。転写ローラー３５は、感光体ドラム３１の外周面に当接し、転写ニップ部を形成している。この転写ローラー３５には、トナーの極性と逆極性の転写バイアスが与えられる。
【００３７】
定着部４０は、転写されたトナー像（画像）をシートＳ上に定着する定着処理を行う。定着部４０は、加熱源を内部に備えた定着ローラー４１と、この定着ローラー４１に対して圧接され、定着ローラー４１との間に定着ニップ部を形成する加圧ローラー４２とを含む。トナー像が転写されたシートＳが前記定着ニップ部に通紙されると、トナー像は、定着ローラー４１による加熱と加圧ローラー４２による押圧とにより、シートＳ上に定着される。
【００３８】
トナーコンテナ５０は、現像装置３３に補給する補給トナーを貯留する。トナーコンテナ５０内に貯留された補給トナーは、回転部材５１が回転駆動されることによって、現像装置３４内に供給される。
【００３９】
定着部４０の下流には、複数の搬送ローラー対１７が配設されている。複数の搬送ローラー対１７は、画像形成部３０により画像形成処理が行われ、次に定着部４０により定着処理が行われた後のシートＳを、シート排出部６０に向けて搬送する。シート排出部６０は、排出ローラー対６１を含む。排出ローラー対６１は、搬送ローラー対１７によって搬送されたシートＳを、排紙トレイとして機能する上壁１１に向けて排出する。排出ローラー対６１によって本体ハウジング１０内から排出されたシートＳは、上壁１１上に積み重ねられる。
【００４０】
［給紙カセットの構成］
＜給紙カセットの全体構成＞
次に、図１に加えて図２、図３Ａ及び図３Ｂを参照して、給紙カセット２１について詳細に説明する。図２は、給紙カセット２１の斜視図である。図３Ａは、リフト板２１１を取り外した状態の給紙カセット２１の斜視図である。図３Ｂは、リフト板２１１、第１カーソル２１２及び第２カーソル２１３を取り外した状態の給紙カセット２１の斜視図である。
【００４１】
給紙カセット２１は、前述したように、カセット本体２１０とリフト板２１１とを備える。給紙カセット２１は、本体ハウジング１０に対して着脱自在に装着される。給紙カセット２１は、本体ハウジング１０に対して装着方向Ｈ１に装着される。給紙カセット２１の装着方向Ｈ１は、＋Ｙ側（前側）から−Ｙ側（後側）に向かう方向である。また、給紙カセット２１において、リフト板２１１によりリフトアップされたシートＳが給紙される給紙方向Ｈ２は、Ｙ方向（前後方向）に関して装着方向Ｈ１の略反対方向である。
【００４２】
給紙カセット２１は、カセット本体２１０及びリフト板２１１に加えて、固定用ラック２１０１（図３Ｂ）と、後端カーソル固定用ラック２１０２（図２）とを備える。
【００４３】
固定用ラック２１０１は、給紙方向Ｈ２と交差するＸ方向（左右方向）に延びるようにカセット本体２１０の底面部２１０Ａに配置され、後述の第１カーソル２１２を固定するためのラックである。固定用ラック２１０１には、上方（＋Ｚ側）に向かって突設されたラック歯２１０１Ａ（後述の図７Ａ参照）がＸ方向（左右方向）に所定の間隔をおいて複数設けられている。後端カーソル固定用ラック２１０２は、給紙方向Ｈ２と平行なＹ方向（前後方向）に延びるようにカセット本体２１０の底面部２１０Ａに配置され、後述の後端カーソル２１４を固定するためのラックである。
【００４４】
給紙カセット２１は、第１カーソル２１２（図２、図３Ａ）と、第２カーソル２１３（図２、図３Ａ）と、後端カーソル２１４（図２）と、第１移動用ラック２１５（図３Ａ）と、第２移動用ラック２１６（図３Ａ）と、ピニオンギア２１０３（図３Ａ）と、を更に備える。
【００４５】
第１カーソル２１２は、固定用ラック２１０１に沿って、すなわち、給紙方向Ｈ２と交差するＸ方向（左右方向）に移動可能に設けられ、カセット本体２１０内においてシートＳの＋Ｘ側（右側）の端縁に当接するカーソルである。第２カーソル２１３は、第１カーソル２１２に対して−Ｘ側（左側）に対向して配置されるカーソルである。第２カーソル２１３は、Ｘ方向（左右方向）に移動可能であり、カセット本体２１０内においてシートＳの−Ｘ側（左側）の端縁に当接する。第１カーソル２１２及び第２カーソル２１３は、カセット本体２１０内におけるシートＳのＸ方向（左右方向）の位置決めを行う。
【００４６】
第１移動用ラック２１５は、第１カーソル２１２から−Ｘ側（左側）に延び、第１カーソル２１２を移動させるためのラックである。第２移動用ラック２１６は、第２カーソル２１３から＋Ｘ側（右側）に延び、第２カーソル２１３を移動させるためのラックである。ピニオンギア２１０３は、第１カーソル２１２と第２カーソル２１３との間においてカセット本体２１０の底面部２１０Ａに回転可能に配置される。ピニオンギア２１０３には、第１移動用ラック２１５と第２移動用ラック２１６とが係合されている。これにより、第１カーソル２１２及び第２カーソル２１３の各々は、ピニオンギア２１０３の回転に連動して、Ｘ方向（左右方向）に移動する。すなわち、第１カーソル２１２は、ピニオンギア２１０３の回転による第１移動用ラック２１５のＸ方向（左右方向）への移動に連動してＸ方向に移動する。そして、第２カーソル２１３は、ピニオンギア２１０３の回転による第２移動用ラック２１６のＸ方向（左右方向）への移動に連動して、第１カーソル２１２の移動方向とは反対の方向に移動する。
【００４７】
後端カーソル２１４は、後端カーソル固定用ラック２１０２に沿ってＹ方向（前後方向）に移動可能に設けられ、カセット本体２１０内においてシートＳの給紙方向Ｈ２の後端側の端縁に当接するカーソルである。後端カーソル２１４は、カセット本体２１０内におけるシートＳのＹ方向（前後方向）の位置決めを行う。
【００４８】
＜第１カーソルの詳細構成＞
次に、給紙カセット２１の第１カーソル２１２について詳細に説明する。図４は、給紙カセット２１の第１カーソル２１２の斜視図である。図５は、第１カーソル２１２のロック部材２１２２の斜視図である。図６は、第１カーソル２１２におけるカーソル本体部２１２１の要部を拡大して示す斜視図である。図７Ａ乃至図７Ｃは、第１カーソル２１２においてロック部材２１２２が許容位置から規制位置へ変位するときの様子を示す図である。図７Ａは、図４の第１カーソル２１２を切断面線Ａ−Ａから見た断面図である。図７Ｂは、図７Ａの要部を拡大して示す断面図である。図７Ｃは、図４の第１カーソル２１２を切断面線Ｂ−Ｂから見た断面図である。図８Ａ乃至図８Ｃは、第１カーソル２１２においてロック部材２１２２が規制位置に位置して直立姿勢を取った状態を示す図である。図８Ａは、図４の第１カーソル２１２を切断面線Ａ−Ａから見た断面図である。図８Ｂは、図８Ａの要部を拡大して示す断面図である。図８Ｃは、図４の第１カーソル２１２を切断面線Ｂ−Ｂから見た断面図である。
【００４９】
給紙カセット２１の第１カーソル２１２は、前述したように、カセット本体２１０内において、固定用ラック２１０１に沿ったＸ方向（左右方向）に移動可能である。なお、以下では、第１カーソル２１２の固定用ラック２１０１に沿った移動方向であるＸ方向を、「移動方向Ｘ」と称する。また、第１カーソル２１２の移動方向Ｘにおいて、カセット本体２１０におけるＸ方向の＋Ｘ側の端部から中央側（内側）に向かう−Ｘ側を「移動方向Ｘの一方側」と称し、中央側（内側）から端部側（外側）に向かう＋Ｘ側を「移動方向Ｘの他方側」と称する。
【００５０】
第１カーソル２１２は、ベース部２１２０と、カーソル本体部２１２１と、ロック部材２１２２と、操作部材２１２３と、を含む。
【００５１】
カーソル本体部２１２１は、カセット本体２１０内においてシートＳの＋Ｘ側（右側）の端縁に当接するシート当接面２１２１Ａを有し、第１カーソル２１２の本体部分を構成する。カーソル本体部２１２１は、Ｘ方向から見た平面視において、略矩形状に形成される。
【００５２】
カーソル本体部２１２１は、収容部２１２１１を含む（図４、図６参照）。収容部２１２１１は、カーソル本体部２１２１のシート当接面２１２１Ａとは反対の外側（＋Ｘ側）の側面において、下端縁２１２１Ｂから上方（＋Ｚ側）に向かって切り欠かれた部分である。本実施形態では、収容部２１２１１は、カーソル本体部２１２１の下端縁２１２１Ｂにおいて、Ｙ方向（前後方向）の中央部分が切り欠かれて形成される。カーソル本体部２１２１において収容部２１２１１によって画定される空間には、後述のロック部材２１２２が配置される。
【００５３】
ベース部２１２０は、カーソル本体部２１２１の下端部から−Ｘ側（左側）に水平に延びるように突設された板状部分である。前述の第１移動用ラック２１５は、ベース部２１２０から−Ｘ側（左側）に延びている。
【００５４】
ロック部材２１２２は、第１カーソル２１２の固定用ラック２１０１に沿った移動方向Ｘへの移動を規制するための部材である。ロック部材２１２２は、図４に示すように、カーソル本体部２１２１の収容部２１２１１に配置される。ロック部材２１２２は、図５に示すように、ロック本体部２１２２１を含む。
【００５５】
ロック本体部２１２２１は、略直方体形状に形成され、ロック部材２１２２の本体部分を構成する。ロック本体部２１２２１の下面２１２２１Ａには、ロック歯２１２２２が形成されている。ロック歯２１２２２は、ロック本体部２１２２１の下面２１２２１Ａから下方（−Ｚ側）に向かって突設され、固定用ラック２１０１のラック歯２１０１Ａと噛合可能な歯部である。ロック歯２１２２２のＹ方向（前後方向）に垂直な断面の形状は、鋸歯状である。ロック歯２１２２２は、図７Ｂ及び図８Ｂに示すように、第１カーソル２１２の移動方向Ｘに所定の間隔をおいて複数設けられている。ロック歯２１２２２は、傾斜面部２１２２２Ａと、先端平面部２１２２２Ｂと、垂下平面部２１２２２Ｃと、歯元平面部２１２２２Ｄとを有する。
【００５６】
ロック歯２１２２２において、傾斜面部２１２２２Ａは、歯元から先端平面部２１２２２Ｂに向かって（下方に向かって）外側（第１カーソル２１２の移動方向Ｘの他方側、＋Ｘ側）に傾斜した部分である。ロック歯２１２２２において、先端平面部２１２２２Ｂは、傾斜面部２１２２２Ａの下端から外側（移動方向Ｘの他方側、＋Ｘ側）に僅かに延びる、ロック歯２１２２２の歯先２１２２２１を構成する部分である。ロック歯２１２２２において、垂下平面部２１２２２Ｃは、傾斜面部２１２２２Ａに対して外側（第１カーソル２１２の移動方向Ｘの他方側、＋Ｘ側）に配置され、歯元から先端平面部２１２２２Ｂに向かって直線状に垂下して延びる部分である。ロック歯２１２２２において、歯元平面部２１２２２Ｄは、垂下平面部２１２２２Ｃから外側（移動方向Ｘの他方側、＋Ｘ側）に僅かに延びる、ロック歯２１２２２の歯元を構成する部分である。
【００５７】
一方、ロック歯２１２２２と噛合する固定用ラック２１０１のラック歯２１０１Ａは、図７Ｂ及び図８Ｂに示すように、鋸歯状であり、傾斜面部２１０１ＡＡと、先端平面部２１０１ＡＢと、立上り平面部２１０１ＡＣと、歯元平面部２１０１ＡＤとを有する。
【００５８】
ラック歯２１０１Ａにおいて、傾斜面部２１０１ＡＡは、歯元から先端平面部２１０１ＡＢに向かって（上方に向かって）内側（第１カーソル２１２の移動方向Ｘの一方側、−Ｘ側）に傾斜した部分である。ラック歯２１０１Ａにおいて、先端平面部２１０１ＡＢは、傾斜面部２１０１ＡＡの上端から内側（第１カーソル２１２の移動方向Ｘの一方側、−Ｘ側）に僅かに延びる、ラック歯２１０１Ａの歯先２１０１Ａ１を構成する部分である。ラック歯２１０１Ａにおいて、立上り平面部２１０１ＡＣは、傾斜面部２１０１ＡＡに対して内側（第１カーソル２１２の移動方向Ｘの一方側、−Ｘ側）に配置され、歯元から先端平面部２１０１ＡＢに向かって直線状に立上って延びる部分である。ラック歯２１０１Ａにおいて、歯元平面部２１０１ＡＤは、立上り平面部２１０１ＡＣから内側（第１カーソル２１２の移動方向Ｘの一方側、−Ｘ側）に僅かに延びる、ラック歯２１０１Ａの歯元を構成する部分である。
【００５９】
本実施形態では、第１カーソル２１２のロック部材２１２２は、ロック歯２１２２２がラック歯２１０１Ａと噛合して第１カーソル２１２の移動を規制する規制位置と、ロック歯２１２２２がラック歯２１０１Ａから上方に離間して第１カーソル２１２の移動を許容する許容位置との間で、カーソル本体部２１２１に対して上下方向（Ｚ方向）に移動可能である。ロック部材２１２２が規制位置に配置された状態は、図８Ａ乃至図８Ｃに示されている。一方、ロック部材２１２２が許容位置に配置された状態は、図７Ａ乃至図７Ｃに示されている。
【００６０】
第１カーソル２１２の操作部材２１２３は、カーソル本体部２１２１に支持され、ロック部材２１２２を移動させる操作を行う部分である。操作部材２１２３によるロック部材２１２２を移動させるための操作は、使用者によって行われる。使用者による操作部材２１２３の操作によって、ロック部材２１２２は、許容位置から規制位置へ移動するとともに、規制位置から許容位置へ移動する。
【００６１】
ロック部材２１２２は、操作部材２１２３の操作によって規制位置と許容位置との間で移動するときに、図７Ａ乃至図７Ｃに示される傾斜姿勢を取るように構成される。ロック部材２１２２が傾斜姿勢を取った状態では、ロック本体部２１２２１の下面２１２２１Ａが、ラック歯２１０１Ａの先端平面部２１０１ＡＢを含む仮想平面ＰＬに対して傾き、ロック歯２１２２２が上下方向（Ｚ方向）に対して第１カーソル２１２の移動方向Ｘに沿って傾斜している。より詳しくは、ロック部材２１２２が傾斜姿勢を取った状態において、ロック歯２１２２２は、歯先２１２２２１がカセット本体２１０に収容されたシートＳへ近接する方向に向くように傾斜している。換言すると、ロック部材２１２２が傾斜姿勢を取った状態において、ロック歯２１２２２は、歯先２１２２２１が内側（−Ｘ側）を向くように傾斜している。更に換言すると、ロック部材２１２２が傾斜姿勢を取った状態において、ロック歯２１２２２は、垂下平面部２１２２２Ｃが、上端から下端に向かって内側（移動方向Ｘの一方側、−Ｘ側）に傾き、ラック歯２１０１Ａの立上り平面部２１０１ＡＣに対して傾くように、傾斜している。
【００６２】
ロック歯２１２２２の垂下平面部２１２２２Ｃの、ラック歯２１０１Ａの立上り平面部２１０１ＡＣに対する傾きの角度θ１（図７Ｂ）は、Ｚ方向（上下方向）から見て、ロック歯２１２２２の歯先２１２２２１が、隣接するラック歯２１０１Ａ間に位置する範囲内に設定される。すなわち、ロック部材２１２２は、Ｚ方向（上下方向）から見て、ロック歯２１２２２の歯先２１２２２１が、隣接するラック歯２１０１Ａ間に位置するように、傾斜姿勢を取る。
【００６３】
規制位置と許容位置との間の上下方向への移動時にロック部材２１２２が傾斜姿勢を取った状態では、ロック歯２１２２２が上下方向に対して第１カーソル２１２の移動方向Ｘに沿って傾斜しているので、ロック歯２１２２２の歯先２１２２２１とラック歯２１０１Ａの歯先２１０１Ａ１との間には、第１カーソル２１２の移動方向Ｘに沿ったクリアランスＤ１（図７Ｂ）が確保され易くなる。ロック部材２１２２が傾斜姿勢を取った状態におけるクリアランスＤ１は、ロック歯２１２２２の垂下平面部２１２２２Ｃにおける下端（先端平面部２１２２２Ｂとの交点）の、ラック歯２１０１Ａの立上り平面部２１０１ＡＣに対する移動方向Ｘに沿った離間距離で表される。ロック部材２１２２が傾斜姿勢を取った状態においてクリアランスＤ１が確保され易くなるので、ロック部材２１２２が許容位置から規制位置へ移動するときに、ロック部材２１２２におけるロック歯２１２２２の歯先２１２２２１の、固定用ラック２１０１におけるラック歯２１０１Ａの歯先２１０１Ａ１に対する衝突が回避され易くなる。この結果、ロック部材２１２２の許容位置から規制位置への移動時における、ロック歯２１２２２のラック歯２１０１Ａに対する噛み合い位置のずれが可及的に抑止される。従って、カセット本体２１０内において第１カーソル２１２により高精度にシートＳの位置決めを行うことができ、シートＳの給紙特性に優れた給紙カセット２１とすることができる。
【００６４】
なお、第１カーソル２１２の位置によっては、クリアランスＤ１が「０（ゼロ）」となる場合もあり得る。このような場合であっても、ロック部材２１２２が傾斜姿勢を取った状態において、ロック歯２１２２２は、歯先２１２２２１が内側（−Ｘ側）を向くように（シートＳへ近接する方向に向くように）傾斜しているので、ロック部材２１２２の許容位置から規制位置への移動に伴って、内側（−Ｘ側）に誘導される。これにより、ロック部材２１２２が規制位置に配置された状態では、ロック歯２１２２２のラック歯２１０１Ａに対する噛み合い位置は、例えば、歯先２１２２２１がシートＳから離間して外側（＋Ｘ側）を向くようにロック歯２１２２２が傾斜した場合よりも、シートＳに近い位置となる。このため、ロック部材２１２２が規制位置に配置された状態において、第１カーソル２１２がシートＳに対してより近い位置に配置され、第１カーソル２１２によるシートＳの位置決め精度をより高めることができる。
【００６５】
また、ロック部材２１２２は、規制位置において、図８Ａ乃至図８Ｃに示される直立姿勢を取るように構成される。ロック部材２１２２が規制位置において直立姿勢を取った状態では、ロック本体部２１２２１の下面２１２２１Ａがラック歯２１０１Ａの先端平面部２１０１ＡＢを含む仮想平面ＰＬと平行であり、ロック歯２１２２２が仮想平面ＰＬと垂直に上下方向（Ｚ方向）に沿って直立している。より詳しくは、ロック部材２１２２が直立姿勢を取った状態において、ロック歯２１２２２は、垂下平面部２１２２２Ｃがラック歯２１０１Ａの立上り平面部２１０１ＡＣと平行になるように、直立している。
【００６６】
ロック部材２１２２は、規制位置と許容位置との間の移動時に傾斜姿勢を取っているのに対し、規制位置に配置された状態においては直立姿勢を取る。前述したように、ロック部材２１２２が傾斜姿勢を取った状態においては、ロック歯２１２２２の歯先２１２２２１とラック歯２１０１Ａの歯先２１０１Ａ１との間には、第１カーソル２１２の移動方向Ｘに沿ったクリアランスＤ１が確保され易くなっている。これに対し、ロック部材２１２２が規制位置に配置された状態においては直立姿勢を取っているので、この状態では、ロック歯２１２２２の歯先２１２２２１とラック歯２１０１Ａの歯先２１０１Ａ１との間の第１カーソル２１２の移動方向Ｘに沿った前記クリアランスＤ１が「０（ゼロ）」となる。すなわち、ロック部材２１２２が規制位置において直立姿勢を取った状態では、ロック歯２１２２２の垂下平面部２１２２２Ｃは、ラック歯２１０１Ａの立上り平面部２１０１ＡＣに当接している。このため、ロック部材２１２２が規制位置において直立姿勢を取った状態では、ロック歯２１２２２とラック歯２１０１Ａとが確実に噛合した状態となる。これにより、ロック部材２１２２が規制位置に配置された状態において、第１カーソル２１２の移動が確実に規制され、カセット本体２１０内において第１カーソル２１２により高精度にシートＳの位置決めを行うことができる。
【００６７】
本実施形態では、第１カーソル２１２は、図４に示すように、付勢部材２１２４と回動規制板２１２５とを、更に含む。また、第１カーソル２１２においてロック部材２１２２は、図５に示すように、被案内突片２１２２３と支持ボス２１２２４とを、更に含む。また、第１カーソル２１２においてカーソル本体部２１２１の収容部２１２１１は、図６に示すように、一対の案内突片２１２１１１を有する。
【００６８】
まず、ロック部材２１２２において、被案内突片２１２２３は、ロック本体部２１２２１において給紙方向Ｈ２（Ｙ方向）に互いに対向した各側面２１２２１Ｃのそれぞれに突設されている。なお、図５では、ロック本体部２１２２１の＋Ｙ側（前側）の側面２１２２１Ｃに突設された被案内突片２１２２３は表されており、ロック本体部２１２２１の−Ｙ側（後側）の側面２１２２１Ｃに突設された被案内突片２１２２３は表されていない。
【００６９】
被案内突片２１２２３は、Ｚ方向（上下方向）に延びる略直方体形状に形成され、傾斜部２１２２３１と突出部２１２２３２とを有する。被案内突片２１２２３において、傾斜部２１２２３１は、下端縁２１２２３１Ｂから上端縁２１２２３１Ｃに向かって第１カーソル２１２の移動方向Ｘの一方側（−Ｘ側）に傾斜した傾斜面２１２２３１Ａを有する。なお、移動方向Ｘの一方側（−Ｘ側）において、傾斜面２１２２３１Ａと対向する対向面２１２２３３は、Ｚ方向（上下方向）に沿って延びる垂直面である。
【００７０】
被案内突片２１２２３において、突出部２１２２３２は、傾斜面２１２２３１Ａの上端縁２１２２３１Ｃから第１カーソル２１２の移動方向Ｘの他方側（＋Ｘ側）に突出している。突出部２１２２３２において突端２１２２３２Ａは、第１カーソル２１２の移動方向Ｘにおいて傾斜面２１２２３１Ａの下端縁２１２２３１Ｂと同一位置に位置している。
【００７１】
カーソル本体部２１２１における収容部２１２１１の一対の案内突片２１２１１１は、収容部２１２１１の内部においてＹ方向（前後方向）に互いに対向する内側面２１２１１Ａの各々に形成された突片である。一対の案内突片２１２１１１の各々は、ロック部材２１２２におけるロック本体部２１２２１の各側面２１２２１Ｃにそれぞれ設けられた被案内突片２１２２３と対向するように、上下方向（Ｚ方向）に沿って延びる。換言すると、ロック部材２１２２の被案内突片２１２２３は、一対の案内突片２１２１１１の間に配置される。一対の案内突片２１２１１１は、被案内突片２１２２３を間に挟んだ状態において、ロック部材２１２２の上下方向（Ｚ方向）の移動を案内する。
【００７２】
そして、ロック部材２１２２は、被案内突片２１２２３が一対の案内突片２１２１１１の間に配置された状態において許容位置から規制位置へ移動するとき、あるいは規制位置から許容位置へ移動するとき、突出部２１２２３２の突端２１２２３２Ａが一対の案内突片２１２１１１の上端を越え、傾斜部２１２２３１の傾斜面２１２２３１Ａが一対の案内突片２１２１１１のうちの＋Ｘ側の案内突片に当接して、傾斜姿勢を取る（図７Ｃ参照）。また、ロック部材２１２２は、規制位置において、突出部２１２２３２の突端２１２２３２Ａと傾斜面２１２２３１Ａの下端縁２１２２３１Ｂとが、一対の案内突片２１２１１１のうちの＋Ｘ側の案内突片に当接することにより、直立姿勢を取ることができる（図８Ｃ参照）。
【００７３】
次に、ロック部材２１２２のロック本体部２１２２１は、図５に示すように、凹部２１２２１１を有する。ロック本体部２１２２１において、凹部２１２２１１は、第１カーソル２１２の移動方向Ｘに開口している。この凹部２１２２１１の内側の上面を画定する上面部２１２２１１Ａは、第１カーソル２１２の移動方向Ｘの一方側（−Ｘ側）から他方側（＋Ｘ側）に向かって先下がりに傾斜している。
【００７４】
また、ロック部材２１２２において、支持ボス２１２２４は、ロック本体部２１２２１の上面２１２２１Ｂから上方に突出した突起である。この支持ボス２１２２４には、付勢部材２１２４の一端部が係止される。付勢部材２１２４は、例えばコイルばね部材により構成され、支持ボス２１２２４に係止された一端部とは反対の他端部がカーソル本体部２１２１に係止されている。付勢部材２１２４は、ロック部材２１２２を下方へ付勢する。
【００７５】
そして、図６、図７Ａ及び図８Ａを参照して説明すると、操作部材２１２３は、操作部２１２３１と、延設部２１２３２と、支持部２１２３３と、係合部２１２３４とを含む。操作部材２１２３は、第１カーソル２１２の移動方向Ｘ及び上下方向（Ｚ方向）と交差するＹ方向（前後方向）に延びる軸心Ｊ１回りに回動可能となるように、支持部２１２３３を介してカーソル本体部２１２１に支持されている。
【００７６】
操作部材２１２３において、操作部２１２３１は、使用者によって操作される部分である。操作部材２１２３は、操作部２１２３１を−Ｘ側へ押圧する操作が使用者によって入力されると、軸心Ｊ１回りの第１回動方向Ｒ１に回動する（図７Ａ参照）。操作部２１２３１に対する使用者の回動操作により、操作部材２１２３が第１回動方向Ｒ１に回動すると、ロック部材２１２２は、直立姿勢から傾斜姿勢へ変位すると共に、規制位置から許容位置へと移動する。
【００７７】
一方、操作部２１２３１に対する使用者の回動操作が解除されると、ロック部材２１２２は、傾斜姿勢から直立姿勢へ変位すると共に、許容位置から規制位置へと移動する。回動操作が解除された状態におけるロック部材２１２２の移動に伴って、操作部材２１２３は、軸心Ｊ１回りの第１回動方向Ｒ１とは反対の第２回動方向Ｒ２に回動する（図８Ａ参照）。操作部材２１２３の第２回動方向Ｒ２への回動は、ロック部材２１２２が規制位置に配置され、ロック歯２１２２２とラック歯２１０１Ａとが噛合すると、停止される。
【００７８】
なお、回動規制板２１２５は、第１カーソル２１２をカセット本体２１０から取り外した場合に、操作部材２１２３の回動を規制するものである。
【００７９】
操作部材２１２３において、延設部２１２３２は、操作部２１２３１の下端から下方に延設される部分である。操作部材２１２３において、係合部２１２３４は、延設部２１２３２の下端から＋Ｘ側（右側）に突出した部分である。係合部２１２３４は、第１カーソル２１２の移動方向Ｘの一方側（−Ｘ側）からロック部材２１２２の凹部２１２２１１に挿入されて上面部２１２２１１Ａに接触する。
【００８０】
ロック部材２１２２が規制位置に配置されて直立姿勢を取った状態で、操作部材２１２３の第１回動方向Ｒ１への回動に伴って係合部２１２３４の先端が凹部２１２２１１の上面部２１２２１１Ａの傾斜面を押圧すると、ロック部材２１２２が規制位置から許容位置に向かって上昇する。このようにロック部材２１２２が上昇し、突出部２１２２３２の突端２１２２３２Ａが一対の案内突片２１２１１１の上端を越えると、係合部２１２３４の先端が、凹部２１２２１１の上面部２１２２１１Ａの傾斜面上を摺動することによって、ロック部材２１２２は、上面部２１２２１１Ａの傾斜面に垂直な分力により斜め上方の力の作用を受けて−Ｘ側へ回動し、傾斜姿勢を取る。更に、ロック部材２１２２は、傾斜姿勢を取った状態で、被案内突片２１２２３が一対の案内突片２１２１１１にガイドされて、許容位置まで斜め上方に移動する。このようにして、操作部材２１２３の第１回動方向Ｒ１への回動に伴って係合部２１２３４が凹部２１２２１１の上面部２１２２１１Ａ上を摺動すると、ロック部材２１２２は、付勢部材２１２４の付勢力に抗して直立姿勢から傾斜姿勢へ変位すると共に、規制位置から許容位置へと移動する。
【００８１】
一方、ロック部材２１２２が許容位置に配置されて傾斜姿勢を取った状態で、操作部２１２３１に対する使用者の回動操作が解除されると、ロック部材２１２２は、付勢部材２１２４の付勢力によって許容位置から規制位置へと斜め下方に移動する。回動操作が解除された状態におけるロック部材２１２２の移動に伴って、操作部材２１２３は、第２回動方向Ｒ２に回動する。
【００８２】
以上説明したように、本実施形態に係る給紙カセット２１では、ロック部材２１２２は、規制位置と許容位置との間の上下方向への移動時に傾斜姿勢を取る。ロック部材２１２２が傾斜姿勢を取った状態では、ロック歯２１２２２が上下方向に対して第１カーソル２１２の移動方向Ｘに沿って傾斜している。このため、ロック部材２１２２が許容位置から規制位置へ移動するときに、ロック部材２１２２におけるロック歯２１２２２の歯先２１２２２１の、固定用ラック２１０１におけるラック歯２１０１Ａの歯先２１０１Ａ１に対する衝突が回避され易くなる。この結果、カセット本体２１０内において第１カーソル２１２により高精度にシートＳの位置決めを行うことができる。従って、給紙カセット２１は、シートＳの給紙特性に優れたものとなる。
【００８３】
また、ロック部材２１２２が許容位置から規制位置へ移動するときに、ロック歯２１２２２の歯先２１２２２１がラック歯２１０１Ａの歯先２１０１Ａ１と衝突した場合、ロック歯２１２２２の歯先２１２２２１が内側（−Ｘ側）を向くように（シートＳへ近接する方向に向くように）傾斜しているので、ロック歯２１２２２は、ロック部材２１２２の移動に伴って、内側（−Ｘ側）に誘導される。これにより、ロック部材２１２２が規制位置に配置された状態において、第１カーソル２１２により確実にシートＳの位置決めを行うことができる。
【００８４】
また、本実施形態に係る画像形成装置１は、シートＳの給紙特性に優れた給紙カセット２１を備えているので、シートＳの給紙不良に起因して画像形成部３０による画像形成処理の効率低下が生じることを抑止することができる。
【符号の説明】
【００８５】
１  画像形成装置
１０  本体ハウジング
２０  給紙部
２１  給紙カセット
２１０  カセット本体
２１０Ａ  底面部
２１０１  固定用ラック
２１０１Ａ  ラック歯
２１２  第１カーソル
２１２１  カーソル本体部
２１２１１  収容部
２１２１１１  案内突片
２１２２  ロック部材
２１２２１  ロック本体部
２１２２１１  凹部
２１２２２  ロック歯
２１２２３  被案内突片
２１２２３１Ａ  傾斜面
２１２２３２  突出部
２１２３  操作部材
２１２３１  操作部
２１２３２  延設部
２１２３３  支持部
２１２３４  係合部
２１２４  付勢部材
２１３  第２カーソル
３０  画像形成部
【図１】
2018188269.tif 000003
【図２】
2018188269.tif 000004
【図３Ａ】
2018188269.tif 000005
【図３Ｂ】
2018188269.tif 000006
【図４】
2018188269.tif 000007
【図５】
2018188269.tif 000008
【図６】
2018188269.tif 000009
【図７Ａ】
2018188269.tif 000010
【図７Ｂ】
2018188269.tif 000011
【図７Ｃ】
2018188269.tif 000012
【図８Ａ】
2018188269.tif 000013
【図８Ｂ】
2018188269.tif 000014
【図８Ｃ】
2018188269.tif 000015